(57)【要約】【課題】不使用時に家具の美観損ねないようにする。【解決手段】エアバッグＢ１を有するエアバッグモジュールＭ１はケースＣ１内に収容されて天井壁２の内部に組み込まれている。不使用時にはエアバッグＢ１はケースＣ１の蓋体５によって隠蔽されているため、家具Ｔおよび天井壁２の美観を損ねることはない。地震が発生すると、地震センサＳ１が揺れを検知してインフレータＩＦ１を作動させてエアバッグＢ１を膨張展開させる。エアバッグＢ１は家具Ｔの前面と天井壁２との間で突っ張って、家具Ｔが前方へ転倒するのを防止する。【選択図】図２
2016047196.tif 000002
【特許請求の範囲】
【請求項１】
不使用時には収縮状態にあり、物品の揺れに関連して膨張状態へ移行して前記物品とこの物品と対向する壁面との間で突っ張るエアバッグを備えることを特徴とする転倒防止装置。
【請求項２】
前記エアバッグは、前記エアバッグを膨張させるための作動部とともにエアバッグモジュールに含まれるとともに、前記エアバッグモジュールは前記不使用時にはケース内に収容されており、前記ケースは前記物品あるいは前記物品が設置される空間の天井壁に組付けられることを特徴とする請求項１記載の転倒防止装置。
【請求項３】
前記エアバッグは前記物品の上面に組み付けられ、前記エアバッグが膨張した状態では、前記物品の上面と前記天井壁のうち前記物品の上面と対向する部位との間で突っ張ることを特徴とする請求項１または請求項２に記載の転倒防止装置。
【請求項４】
前記エアバッグは前記天井壁のうち前記物品の前面より前方の部位の内側に組み込まれ、前記エアバッグが膨張した状態では前記物品の前面と前記天井壁のうち前記エアバッグの組み付け部位より前方の部位との間で突っ張ることを特徴とする請求項１または請求項２に記載の転倒防止装置。
【請求項５】
前記エアバッグは前記物品の前面に組み付けられるとともに、前記エアバッグの膨張方向は、前記物品に揺れが作用したときの倒れ方向である前方であることを特徴とする請求項１または請求項２に記載の転倒防止装置。
【発明の詳細な説明】
【技術分野】
【０００１】
本発明は転倒防止装置に関するものである。
【背景技術】
【０００２】
従来の転倒防止装置として下記特許文献１を挙げることができる。ここには、上部台板と、下部台板と、これら上下の台板の間に取り付けられた支柱とを備えた構成の転倒防止装置が開示されている。この転倒防止装置は家具の上面において、天井壁との間で突っ張った状態でセットされる。
【先行技術文献】
【特許文献】
【０００３】
【特許文献１】実用新案登録第３０２８３３４号公報
【発明の概要】
【発明が解決しようとする課題】
【０００４】
上記のように、従来の転倒防止装置は地震に備えて常に天井壁との間で突っ張り状態のまま維持され、家具の正面からほぼ全体が視認される位置にセットされている。したがって、普段において家具の美観を損ねる結果となっていた。
【０００５】
本発明は上記のような事情に基づいて完成されたものであって、不使用時には物品の美観を損ねることがない転倒防止装置を提供することを目的とする。
【課題を解決するための手段】
【０００６】
本発明の転倒防止装置は、不使用時には収縮状態にあり、物品の揺れに関連して膨張状態へ移行して前記物品とこの物品と対向する壁面との間で突っ張るエアバッグを備えることを特徴とする。
【０００７】
ここで、「物品の揺れに関連して」とは、物品が現実に揺れていることに基づいての意味に加え、物品がまだ揺れていないが、揺れが予知されることに基づいての意味を含む概念である。また、「転倒防止」とは、物品が設置面に設置された状態から設置面にまで倒れきった状態に至るまでの間の転倒を防止する概念である。さらに、物品の概念には家具、ベッド、大型テレビ、冷蔵庫、書棚、ショーケース、サーバラック等、地震等が発生して転倒する虞のあるものが含まれる。
【発明の効果】
【０００８】
本発明によれば、通常時にはエアバッグは収縮状態にあり、目立ちにくい状態にあるため、物品あるいは物品周りの空間の美観を保持することができる。一方、エアバッグは上記の収縮状態から地震等に起因する物品の揺れに関連して膨張状態へと移行する。膨張状態となったエアバッグは物品と、この物品と対向する壁面との間で突っ張るため、物品が転倒して損傷される事態を回避することができる。
【０００９】
転倒防止装置において、前記エアバッグは、前記エアバッグを膨張させるための作動部とともにエアバッグモジュールに含まれるとともに、前記エアバッグモジュールは前記不使用時にはケース内に収容されており、前記ケースは前記物品あるいは前記物品が設置される空間の天井壁に組付けられるようにするとよい。
【００１０】
このような構成によれば、エアバッグは作動部とともにエアバッグモジュールを構成し、全体としてケース内に収容された形態となっている。したがって、エアバッグモジュールを取り扱い性に優れたものとすることができる。また、このケースを後付け品として既存の物品あるいは天井壁に組み付けることができるため、物品に対する転倒防止機能を後から追加することができる。
【００１１】
転倒防止装置において、前記エアバッグは前記物品の上面に組み付けられ、前記エアバッグが膨張した状態では、前記物品の上面と前記天井壁のうち前記物品の上面と対向する部位との間で突っ張るようにしてもよい。
このような構成によれば、通常時においては、エアバッグは物品の上面という、物品の正面からは比較的目に触れにくい場所に設置されるため、物品の美観保持に有効である。
【００１２】
また、転倒防止装置は、前記エアバッグが前記天井壁のうち前記物品の前面より前方の部位の内側に組み込まれ、前記エアバッグが膨張した状態では前記物品の前面と前記天井壁のうち前記エアバッグの組み付け部位より前方の部位との間で突っ張る構成であってもよい。
このような構成によれば、エアバッグは天井壁の内部に組込まれるため、外部から視認されず、室内の外観保持により一層寄与することができる。
【００１３】
さらに、転倒防止装置は、前記エアバッグは前記物品の前面に組み付けられるとともに、前記エアバッグの膨張方向は、前記物品に揺れが作用したときの倒れ方向である前方である構成としてもよい。
このような構成によれば、万一、物品が床面へ向けて倒れようとした場合にも、膨張したエアバッグが物品の前面と床面との間で突っ張るため、物品が床面に衝突してしまうことがなく、物品の前面及び床面を保護することができる。
【図面の簡単な説明】
【００１４】
【図１】実施形態１に係る転倒防止装置が不使用時の状況を示す側断面図
【図２】同じく使用時の状況を示す側断面図
【図３】実施形態２に係る転倒防止装置の不使用時の状況を示す側断面図
【図４】同じく使用時の状況を示す側断面図
【図５】実施形態３に係る転倒防止装置の不使用時の状況を示す側断面図
【図６】同じく使用時の状況を示す側断面図
【発明を実施するための形態】
【００１５】
次に、本発明の転倒防止装置を具体化した実施形態１ないし実施形態３について、図面を参照しつつ説明する。
【００１６】
＜実施形態１＞
図１および図２は本発明の実施形態１を示している。本実施形態１に係る転倒防止装置は、地震等により家具Ｔ等（物品）を転倒させないようにすることを目的としている。図示されている物品は家具Ｔであり、全体として高さ方向よりも前後の奥行寸法（図１等では左右方向の寸法）の方が小さい直方体形状をなしている。したがって、図２においてＰ矢印方向で示す方向が家具Ｔの転倒が想定される方向ということになる。以下の説明では、図１における右方を「前」、左方を「後」と呼ぶものとする。
【００１７】
家具Ｔは、家屋の室内において、側壁１を背にしつつ側壁１から適当な隙間を空けて設置されている。また、家具Ｔの上面と室内の天井壁２との間にも間隔が設定されている。詳細には図示しないが、天井壁２は躯体の梁８から図示しない吊り金具を介して吊り下げられて水平に支持されている。
【００１８】
天井壁２において、家具Ｔ寄りの前方の部位には開口部３が矩形に開口している。エアバッグモジュールＭ１を収容するケースＣ１はこの開口部３を通して天井壁２の内部に組み込まれている。
【００１９】
ケースＣ１は内部に収容室４が形成された中空のボックス状をなしており、一面には蓋体５が取り付けられている。蓋体５の周縁は脆弱に形成されていて、後述するエアバッグＢ１が膨張展開することに伴ってケースＣ１の本体部分から比較的容易に破断されるようになっている。但し、ケースＣ１が天井壁２に組み込まれた状態では、蓋体５は周囲の天井壁２と面一をなすようにしてある。
【００２０】
ケースＣ１の内部には図示しない取り付けステーを介してエアバッグモジュールＭ１が固定されている。このエアバッグモジュールＭ１は、エアバッグＢ１と、これを膨張展開させるためのガスを発生させるインフレータＩＦ１（作動部）と、地震センサＳ１（作動部）とを備えている。エアバッグＢ１はケースＣ１内に折り畳まれて収容されている。エアバッグＢ１は一縁部が開口する袋状に形成され、その開口縁部にはシール状態でインフレータＩＦ１が接続されている。なお、このエアバッグＢ１を膨張展開させるための構成は公知のものであり、詳細な説明は省略し、概要のみ説明をする。
【００２１】
また、ケースＣ１の内部には地震等が発生したときの揺れを検知する地震センサＳ１が収容されている。インフレータＩＦ１は地震センサＳ１が揺れを検知したときの検知信号に基づいて高圧ガスをエアバッグＢ１内に噴出させるよう動作する。これに伴い、エアバッグＢ１は蓋体５を周縁から破断させ、ケースＣ１から外部に飛び出して膨張展開することができる。そのときのエアバッグＢ１の状態は、図２に示すように、後縁部が家具Ｔの前面上部に突き当たり、前部上面が天井壁２のうち開口部３よりも前方の部位に突き当たる状態となるようにしてある。
【００２２】
次に、上記の転倒防止装置の動作について説明する。通常時において、エアバッグＢ１は天井壁２内に折り畳み状態で格納され、蓋体５によって外部から隠ぺいされている。したがって、家具Ｔおよびその周辺空間の美観がそのまま維持される。
【００２３】
一方、地震が発生してその揺れを地震センサＳ１が検出すると、その検知信号に基づいてインフレータＩＦ１が動作し高圧ガスをエアバッグＢ１内に噴出させる。これにより、エアバッグＢ１は急速に膨張展開を開始し、蓋体５をケースＣ１の周縁から破断させてケースＣ１から外部に飛び出す。その結果、エアバッグＢ１は図２に示すような膨張形態となる。具体的には、エアバッグＢ１の後部は家具Ｔの前面上部に圧縮状態で押し当てられ、エアバッグＢ１の前部上面は天井壁２のうち開口部３より前方の部位に圧縮状態で押し当てられる。すなわち、エアバッグＢ１は家具Ｔの前面と天井壁２のうち開口部３より前方の部位との間で突っ張った状態となる。したがって、家具Ｔが図２のＰ矢印方向へ転倒しようとしたときに、エアバッグＢ１が天井壁２のうち開口部３より前方の部位において突っ張ることで、家具Ｔが転倒しようとする力に抗することができる。
【００２４】
このように、本実施形態１によれば、普段においてはエアバッグＢ１は天井壁２内に隠蔽状態で収容されて室内側から視認されないため、家具Ｔ及びその周辺の空間の美観を損ねることはない。一方、地震発生時にはエアバッグＢ１を瞬時に膨張展開させて家具Ｔの転倒防止を実現するため、家具Ｔを損傷から保護することができる。
【００２５】
また、本実施例１ではエアバッグモジュールＭ１をケースＣ１内に一括して収容するようにしている。したがって、ケースＣ１単位で取り扱うことができるため、取扱い性に優れるとともに、天井壁２に対して開口部３さえ設けておけば、後付けの部品として既設の天井壁２に組み込むことができ、もって、後から家具Ｔに対する転倒防止機能を付与することができる、という効果も得られる。
【００２６】
＜実施形態２＞
図３および図４は本発明の実施形態２を示している。実施形態２に係るエアバッグＢ２もケースＣ２内に格納されたエアバッグモジュールＭ２に含まれている。実施形態２が実施形態１と相違する点は次の２点である。相違点の第１点は、ケースを家具Ｔの上面に載置したことであり、第２点はエアバッグモジュールＭ２から地震センサを廃し、これに代えてエアバッグＢ２に対する高圧ガスの充填経路を開閉するキー部材６を設けるようにしたことである。
【００２７】
ケースＣ２は家具Ｔの上面の後部寄りにおいて、蓋体５を天井壁２に向けた姿勢で設置される。また、ケースＣ２はできるだけ家具Ｔの前方から視認されにくいような位置に設置しておくことが望ましい。
【００２８】
エアバックモジュールＭ２は高圧ガスのボンベ９（作動部）と、このガスボンベ９からエアバックＢ２へ高圧ガスを充填するための充填管路１０を有している。充填管路１０の途中にはキー部材６（作動部）が設けられ、充填管路１０に対し抜き差し可能となつている。充填管路１０はキー部材６の抜き差しによって開閉可能となる。キー部材６はワイヤ７の一端に取り付けられ、他端はケースＣ２を貫通して室内の側壁１（天井壁２であってもよい）に強く固定されている。
【００２９】
キー部材６は、通常時は充填管路１０の途中に強く嵌め込まれて充填管路１０を閉止しているが、地震によって家具Ｔが前方へ揺れ動いたときには、ワイヤ７が強く引っ張られることに伴って、高圧ガスの充填管路１０から抜き取られるようになっている。キー部材６の抜き取り動作によって充填管路１０が開放され、これに伴ってエアバッグＢ２の内部には高圧ガスが急速に充填されるため、エアバッグＢ２は蓋体５を破断して天井壁２に向けて膨張展開することができる。
【００３０】
上記のように構成された本実施形態２によれば、普段においてはエアバッグＢ２（ケースＣ２）は家具Ｔの上面のうち後部寄りに設けられているため、家具Ｔの正面からも比較的目にふれにくい状態で設置されている。したがって、家具Ｔ及びその周辺空間の美観を損ねることはない。
【００３１】
一方、地震が発生して家具Ｔが前方へ揺れ動くと、ワイヤ７が強い引っ張り力を受けてキー部材６が高圧ガスの充填管路１０から抜き取られる。これにより、充填経路が開放するため、エアバッグＢ２内に高圧ガスが急速に充填される。その結果、エアバッグＢ２は天井壁２へ向けて一気に膨張展開し、天井壁２に圧縮状態で押し当てられる。すなわち、エアバッグＢ２は家具Ｔの上面とその上方に対向する天井壁２との間で突っ張った状態となるため、家具Ｔの転倒を防止することができる。
【００３２】
なお、他の構成は実施形態１と同様であり、もって同様の作用効果を発揮することができる。
【００３３】
＜実施形態３＞
図５および図６は本発明の実施形態３を示している。本実施形態３では、エアバッグモジュールＭ３を収容するケースＣ３を家具Ｔの前面上部に取り付け金具８を介して取り付けるようにしている。ケースは蓋体５が前方を向いた姿勢で取り付けられている。エアバッグモジュールＭ３が地震センサＳ３、インフレータＩＦ３を有し、地震センサＳ３によって地震が検知されることに基づいてエアバッグＢ３が作動するようになっている点は、実施形態１と同様である。
【００３４】
上記のように構成された実施形態３では、普段においてはエアバッグＢ３は家具Ｔの前面上部に隠蔽状態で組み付けられているが、ケース自体は小型であり、その限りにおいて家具Ｔの美観を損ねない。
【００３５】
一方、地震が発生したことが地震センサＳ３によって検知されると、地震センサＳ３からの検知信号に基づいてインフレータＩＦ３がエアバッグＢ３に高圧ガスを瞬時に供給するため、エアバッグＢ３は蓋体５を破断してケースＣ３の前方へ飛び出して膨張展開する。この間、万一、家具Ｔが床面へ向けて大きく傾いてしまっても、家具Ｔが床面１１に達するまでの間（倒れきるまでの間）に、エアバッグＢ３が家具Ｔの前面と床面１１との間で突っ張るため、家具Ｔの前面が床面１１に衝突して損傷されてしまう事態は確実に回避される。
他の構成は実施形態１と同様であり、もって同様の作用効果を発揮することができる。
【００３６】
＜他の実施例＞
本発明は上記記述及び図面によって説明した実施例に限定されるものではなく、例えば次のような実施例も本発明の技術的範囲に含まれる。
（１）上記実施例では、エアバッグは地震による揺れが現実に発生したことを地震センサが検知し、これに基づいて膨張展開するようにしたが、地震による揺れが家具Ｔに伝わる前、例えば緊急地震速報を受信したことに基づいて膨張展開するようにしてもよい。
（２）上記実施例では転倒防止装置が一般の家屋内で使用される場合を説明したが、他の使用箇所としては、例えば図書館、オフィス、書店、独自の免振装置を備えたサーバルーム等が挙げられる。
（３）エアバッグを膨張展開させるための構成は、本願の出願前に既に種々の形式が開発されて公知となっており、本実施形態においてもこれらの中から任意の形式を選択して適用することができる。
【符号の説明】
【００３７】
２…天井壁  ６…キー部材（作動部）  ９…ボンベ（作動部）  Ｂ１〜Ｂ３…エアバッグ  Ｃ１〜Ｃ３…ケース  ＩＦ１、ＩＦ２…インフレ―タ（作動部）  Ｓ１、Ｓ２…地震センサ（作動部）  Ｍ１〜Ｍ３…エアバッグモジュール  Ｔ…家具
【図１】
2016047196.tif 000003
【図２】
2016047196.tif 000004
【図３】
2016047196.tif 000005
【図４】
2016047196.tif 000006
【図５】
2016047196.tif 000007
【図６】
2016047196.tif 000008